(57)【特許請求の範囲】
【請求項１】
ホットピッツア（Ｐ)の自動販売機であって、
冷凍ピッツアを搬送するための窓（１８）により連通している、冷凍区域（３）と加熱区域（４）とから成るケーシング（１）を有しており、
冷凍区域（３）に、
密閉容器（Ｅ）に包装されている冷凍ピッツアを、多数収容する貯蔵ユニット（５）と、
貯蔵ユニット（５）から、１個の密閉容器（Ｅ）に包装されている冷凍ピッツアを取り出すピックアップアッセンブリ（７）と、
密閉容器（Ｅ）に、該密閉容器（Ｅ）から冷凍ピッツアを取り出すための開口を、開ける開口アッセンブリ（１３）と、
冷凍ピッツアを取り出しやすいように密閉容器（Ｅ）を変形して、開口から、冷凍ピッツアを取り出し、取り出した冷凍ピッツアを加熱区域（４）に搬送する搬送アッセンブリ（１７）と、を備え、
加熱区域（４）に、
搬送されてきた冷凍ピッツアを加熱するオーブン（３０）を備えていることを特徴とするホットピッツア（Ｐ)の自動販売機。
【請求項２】
密閉容器は、底と蓋とを備えるトレイであり、
搬送アッセンブリ（１７）は、開口の開けられた密閉容器の底を押し上げて変形するコントラスト要素（４４）と、開口から部分的に引き出された冷凍ピッツアを引き出し、引き出した冷凍ピッツアを加熱区域（４）に搬送するショベル（２０）とから成ることを特徴とする請求項１記載のホットピッツア（Ｐ)の自動販売機。
【請求項３】
冷凍ピッツアには、予め、引きちぎりやすいように、切れ目が入れてあり、
加熱区域（４）は、更に、オーブン（３０）による加熱後のピッツアをトレイ（Ｔ)に載置する搬送アッセンブリ（３７）を備え、トレイ（Ｔ)は、載置されるピッツアに入れてある切れ目と同じ位置に切れ目が入っており、かつ、載置されるピッツアの外周を掴むことができるようになっているものであることを特徴とする請求項１又は請求項２記載のホットピッツア（Ｐ)の自動販売機。
【請求項４】
ホットピッツア（Ｐ)の自動販売機であって、
冷凍ピッツアを搬送するための窓（１８）により連通している、冷凍区域（３）と加熱区域（４）とから成るケーシング（１）を有しており、
冷凍区域（３）に、
底と蓋とを備える密閉容器（Ｅ）に包装されている冷凍ピッツアを、多数収容する貯蔵ユニット（５）と、
貯蔵ユニット（５）から、１個の密閉容器（Ｅ）に包装されている冷凍ピッツアを取り出すピックアップアッセンブリ（７）と、
密閉容器（Ｅ）の蓋に、冷凍ピッツアを上から取り出せるような開口を開ける開口アッセンブリ（１３）と、
１組の掴みアーム（５１）を備え、該１組の掴みアーム（５１）を上方から密閉容器（Ｅ）に開けた開口に差し込み、かつ、冷凍ピッツアの下側に係合するように回動させることにより、冷凍ピッツアを取り出す搬送アッセンブリ（１７）と、を備え、
加熱区域（４）に、
搬送されてきた冷凍ピッツアを加熱するオーブン（３０）を備えていることを特徴とするホットピッツア（Ｐ)の自動販売機。
【請求項５】
冷凍ピッツアには、予め、引きちぎりやすいように、切れ目が入れてあり、
加熱区域（４）は、更に、オーブン（３０）による加熱後のピッツアをトレイ（Ｔ)に載置する搬送アッセンブリ（３７）を備え、トレイ（Ｔ)は、載置されるピッツアに入れてある切れ目と同じ位置に切れ目が入っており、かつ、載置されるピッツアの外周を掴むことができるようになっているものであることを特徴とする請求項４記載のホットピッツア（Ｐ)の自動販売機。
【発明の詳細な説明】
【０００１】
（技術分野）
本発明は、食料品、特に、ホットピッツアの自動販売装置に関する。
【０００２】
（発明の要約）
本発明の目的は、ホットピッツアを注文した需要者に、味及び芳香性に関し、ピッツアの料理店で作られたピッツアと変らない品質のホットピッツアを、極く短時間のうちに分配可能とする、実用性及び信頼性のある装置を生成することにある。
【０００３】
本発明によれば、上記目的は、基本的に、冷凍区域及び過熱区域に個別に分離されかつ互いに連絡されたケーシングにより構成したことを特徴とする、自動販売装置を提供することにより達成される。上記冷凍区域は、
−予め料理され、それぞれ、個別の密閉された容器に包装された複数のピッツアを収容するようにした貯蔵ユニット；
−上記貯蔵ユニットから対応する密閉された容器の周縁部を掴むと同時にピッツアを移動する、ピック−アップ手段；
−上記密閉容器を開口する、開口手段；及び
−上記密閉容器からピッツアを取出す移送手段を含む。
【０００４】
上記加熱区域は、
−電気オーブン；
−積み重ねられた使い捨てトレイのマガジン；
−上記移送手段からピッツアを受け取り、該ピッツアを上記加熱区域に移送するとともに上記オーブンに搬入し、該加熱されたピッツアを上記トレイマガジンの頂部に置かれたトレイに載置する、可動支持手段；及び
−上記容器の外部で対応するトレイに上記ピッツアを移送する、分配手段を含む。
【０００５】
上記装置は、更に、モータ駆動アクチュエータ手段及び制御手段を含み、これらの手段は、上記ケーシングの外部から、通常、スロットマシン器械又は貨幣を導入してその有効性を確認する器械を介して作動可能とされ、上記ピック−アップ手段、開口手段、移送手段、可動支持手段及び分配手段がプリセットされた自動サイクルに同期して制御されるようになっている。
【０００６】
本発明の更に別の特徴及び利点は、下記の詳細な説明により明瞭なものとされよう。以下に、添付図面を参照して純粋に非限定的な実施例について説明する。
【０００７】
【発明の実施の形態】
本発明の第１の実施例は、図１から図１４を参照して記載される。まず図１に関して、本発明の自動販売装置は、基本的に中間に位置する垂直な隔壁、又は、仕切り２によって冷凍区域３及び加熱区域４に分割されたケーシング１を包含する。
【０００８】
区域３は、従来型の冷凍装置（単純化のため詳細に図示せず）を備える一般的な冷凍−貯蔵−キャビネット構造を有する。貯蔵ユニット５は、区域３内に設置され、該貯蔵ユニット５は各ピッツアＰ（図２及びそれ以降の図）を載せ、ダブル棚６の近接して設けられた３つの支柱によって形成される。
【０００９】
特に、図１３に示されるように、予め料理され、２つの直交する直径線によって、適切に部分的にあらかじめ切り分けられた各ピッツアＰは、底Ｂ、蓋Ｃ及び突出した縁Ｈを備える円形トレイの一般的な形を成す密閉容器Ｅ内に包装される。
【００１０】
再び図１に関して、ピックアップアッセンブリは、貯蔵ユニット５に連結しており、総称的に７で示されている。ピックアップアッセンブリ７は、モーター駆動作動器（図示せず）によって作動される開閉可能掴み部材８を備える。更には、３つの互いに直交する方向に従って、１対のモーター駆動作動器（これも図示せず）によって、案内方向へ移動可能な底支持ブラケット９を備える。より詳しくは、掴み部材８は、頂部水平ガイド１０に沿って、貯蔵ユニット５の前を、該ユニットに平行に移動可能である。当該ガイド１０は、１対の垂直ガイド１１に沿って垂直に移動可能である。さらに、掴み部材８は、横向きガイド１２に沿って、貯蔵ユニット５に直交する方向に垂直に移動可能である。
【００１１】
このように、ピックアップアッセンブリ７の掴み部材８は、棚６のうちの１つに対応する位置に置くことができる。当該位置は、以下に説明されている内容に従い、自動的に選択される。そして、掴み部材８は、以下に記載される方法に従って、対応する密閉容器Ｅ内の棚６上に置かれるピッツアＰをピックアップする。
【００１２】
参照番号１３は、冷凍区域３内に位置する開口アッセンブリを示す。開口アッセンブリ１３は、容器がピックアップアッセンブリ７によって貯蔵ユニット５から取り出されるとき、ピッツアＰの容器Ｅを開口する機能を備える。開口アッセンブリ１３は、基本的に水平アーム１５によって支持される垂直ナイフ１４により構成される。当該アーム１５は、図１及び図２に矢印で示される通路に従う垂直軸周りに、モータ１６により、回転可能である。ナイフ１４を用いて行われる密閉容器Ｅの開口は、以下に明らかにされる。
【００１３】
参照番号１７は、搬送アッセンブリを示す。該アッセンブリ１７の機能は、アッセンブリ１３によって実施された開口作業の後、対応する容器ＥからピッツアＰを取り出し、ピッツアＰを加熱区域４に搬送することである。実際に、搬送アッセンブリ１７は、ほとんどが加熱区域４内に配置されているが、窓状の開口部１８を介して加熱区域４及び冷凍区域３の間を中継するように機能する。該窓１８は、中間仕切り２の頂部に備えられる。窓１８は、通常、開放可能な連絡ドア（図面には示さず）によって閉鎖されている。また、該ドアは、適切にモーター駆動作動器によって操作される。
【００１４】
窓１８の下に置かれるものは、固定コントラスト要素４４である。当該要素４４は、くさび形を成しており、その機能は、以下に明らかにされる。
【００１５】
搬送アッセンブリ１７は、１対の水平ガイド１９を包含する。該ガイドは、窓１８と一直線上にある。該ガイド１９に沿うピッツアショベル２０は、モーター駆動作動器（図示せず）によって移動されてもよい。図５及び６にさらに詳細に示されるように、可動ショベル２０は、２つのフォークまたはアーム２１によって構成される。該アーム２１は、片持ち梁のように、支持クロスメンバー２２から突出している。該アーム２１の開放端２３は、以下に明らかにされる理由で、上昇−下降パターンを実施する。
【００１６】
可動コントラスト要素２４は、操作上ショベル２０に連結しており、図７及び８により詳しく図示されている。上記可動コントラスト要素２４は、中間に位置する仕切り２のそばで、支持ロッド２５ａによって片持ち梁のように支持され、以下に明らかにされる方法及び目的に従って、モーター駆動作動器（図示せず）によって垂直に移動可能である。
【００１７】
加熱区域４の内側の搬送アッセンブリ１７の下の位置に、可動支持装置２５は設けられる。該装置２５の機能は、搬送アッセンブリ１７からピッツアＰを受け取り、自動販売装置１の外に運ばれる前に加熱処理することである。詳しくは、可動支持装置２５は、水平グリル、即ち、火格子２６を包含し、該火格子は適切な円形環状を成しており、水平ガイド２８に沿って移動可能なスライダー２７によって片持ち梁のように支持される。水平ガイド２８は、２つの垂直ガイド２９に沿って垂直方向に移動可能である。ガイド２８に沿った水平方向のグリル２６の移動、及び、ガイド２９に沿った垂直方向のグリル２６の移動は、対応するモーター駆動作動器（図面に示さず）によって制御される。
【００１８】
参照番号３０は、ピッツアがグリル２６上に載せられ、当該グリル２６によってオーブン内に挿入された時、非常に短時間でピッツアを加熱するように設計された電気オーブンを示す。オーブン３０は、好ましくは、底部及び頂部の両方に設けられた放射要素を備える赤外線マイクロ波を用いるタイプのものである。ここで、該底部及び頂部とはつまり、上記グリルがピッツアと共にオーブン３０内に挿入されるときのグリル２６の下方及び該グリルの上方である。
【００１９】
参照番号３１は、加熱オーブン３０の下の位置に積み重ねられている，使い捨てトレイＴのマガジンを示す。上記マガジン３１は、水平支持基部３２を備える。該基部３２は、積み重ねられたトレイＴを支え、且つピッツアがケーシング１から出てくる吐出口３４に対応する位置で、支柱の頂部上に設けられるトレイＴを配置するように、モーター駆動支柱３３によって、持ち上げられる。
【００２０】
マガジン３１は、さらに振動ロッド３６によって支持される可動コントラスト要素３５を備える。該要素は、モーター駆動作動器（図示せず）によって操作され、支柱の頂部に位置するトレイＴのすぐ上に設けられる。
【００２１】
参照番号３７は、搬送アッセンブリを示す。該アッセンブリ３７の機能は、ピッツアＰがトレイＴの頂部に置かれると同時に、当該ピッツアＰを、上記口３４を介して、対応するトレイＴと共に、分配装置１の外側に搬送することである。図１２にも詳細に図示されるように、搬送アッセンブリ３７は、ピッツアプッシャー３８を備える。該ピッツアプッシャー３８は、ディッシュプッシング部材３９に連結される。これらプッシャー３８及びディッシュプッシング部材３９の双方は、引渡口３４に向かう１対の水平ガイド４１に沿って、モーター駆動作動器（図示せず）により（その逆方向にも）移動可能なクロスメンバー４０により支持される。
【００２２】
各使い捨てトレイＴの形態は、図１２に詳しく図示されている。使い捨てトレイＴは、通常、一般的な四角形の厚紙またはそれと同様な平らな板から成り、側部の真ん中に凹部または切り欠きＮを備える。更に、板の各コーナーは、当該コーナーを形成するように協働する，側部の切り欠きＮに繋がる斜めの既装備線Ｌ、及び、上記既装備線Ｌに平行な２本の隣接する折り曲げ線Ｌ１，Ｌ２によって画定される。
【００２３】
上記形態によって、ピッツアＰが搬送された後、利用者は、既装備線Ｌに沿って引きちぎることにより、２本の直径の既に切られている線により定められるピッツアＰの４片に対応して、トレイＴを４つの掴み要素に分けるため、図１４に示すように、トレイＴのコーナーを折り曲げることができる。
【００２４】
本発明の自動販売装置は、スロットマシン器械又は紙幣を挿入する／読み取る装置（図面に示さず）が備える押しボタンパネルによって完成される。これらの押しボタンパネルは、ケーシング１の外側に配置され、利用者にピッツアを選択し、注文できるようにする。例えば、異なるタイプのピッツアは貯蔵ユニット５の棚６の各支柱に対応している場合、利用者は、スロットマシーンまたは銀行券の挿入／読み取り用装置に取りつけられた押しボタンパネル上で好きなピッツアを選ぶことができる。上記押しボタンパネルは、交互に制御システムに連結されている。当該制御システムは、当業者の知っている範囲内であるので図示されていないが、マイクロプロセッサーまたは電子カードシステムを含み、以下に詳細に記載される操作周期に従って、同期するように上記構成要素の種々のモーター駆動作動器を操作するように配置されている。
【００２５】
第１工程は、水平ガイド１０及び垂直ガイド１１に沿ってピックアップアッセンブリ７の掴み部材８を移動して、選択されたピッツアＰに対応する貯蔵ユニット５の棚６の前に上記掴み部材８を置くことである。次に、開放位置に保たれる掴み部材８は、水平ガイド１２に沿って前に押し出され、ピッツアＰに対応する位置にもたらされ、その後図３に示されるように再び閉じる。このようにして、ピッツアＰを含む容器Ｅは、底Ｂが底支持部９上に載ったときには、突出した縁Ｈの２つの全く反対側に沿って、掴み部材８により側部をしっかりと掴まれる。
【００２６】
この工程の最後に、掴み部材８が水平ガイド１２に沿って再び戻され、垂直ガイド１１及び水平ガイド１０が動き、ピッツアＰを含む容器Ｅが、開口アッセンブリ１３の下であって、該アッセンブリの回転軸と同軸上に位置するまで搬送される。その後、上記開口アッセンブリが作動して３６０°よりわずかに小さい角度だけ容器Ｅの蓋Ｃと接触する垂直ナイフ１４を回転させる。このように、蓋Ｃは容器Ｅの残存部分から切り離されるが、非常に小さなコーナー域で容器に連結している。この領域は、図４に示されるように、中間仕切り２の連絡窓１８に対して反対側に突き出た位置にある。
【００２７】
当該操作の最後に、ピッツアＰは、容器Ｅから取り出され、ケーシング１の冷凍区域３から加熱区域４へと搬送される。当該工程は、図５及び図６に示されている。即ち、ピックアップアッセンブリ７の掴み部材８は、部分的に切られた蓋Ｃを備える容器Ｅが、図示するように、取り付けられたコントラスト要素４４の頂部に置かれるまで、水平に移動される。この位置において、掴み部材８は、わずかに下げられており、これにより、容器Ｅの底Ｂは、コントラスト要素４４に乗り上げる。これにより、ピッツアＰは、ピッツアＰ本体及び蓋Ｃの上向きの変形及びたわみにより、容器Ｅから部分的に出てくる。当該工程において、ピッツアＰの主要部は、容器Ｅから引き出され、ケーシング１の真ん中の仕切り２の窓１８に正確に対応する位置に置かれる。
【００２８】
この時点において、ショベル２０のガイド１９に沿って搬送アッセンブリ１７を進めるための命令が発せられる。上記ショベル２０のアーム２１は、窓１８を通り、その終端部２３は、ピッツアＰと容器Ｅの縁の間にはまり込み、これにより、ピッツアＰは、上記容器Ｅから完全に引き抜かれる。
【００２９】
次に、ショベル２０は、ガイド１９に沿って再び後退し、ピッツアＰを搬送し、図６に示すように、アーム２１の上にしっかりと保持され、加熱区域４に入る。
【００３０】
同時に、蓋Ｃのついた容器Ｈは、掴み部材８の開口部から、区域３の底に排出される。ケーシング１の開放可能な扉（図示せず）を介して、貯蔵ユニット５にピッツアが新たに供給されたときに、容器Ｈは、他の空の容器と共に、上記区域３の底から取り出される。
【００３１】
次の作業は、ピッツアＰを、搬送ユニット１７のショベル２０から可動支持グリル２６へと運ぶことである。当該作業は、図７及び図８に示されるように、まず、グリル２６を速やかにピッツアＰのすぐ下に配置し、この後に、窓１８とは反対のピッツアＰの縁の前面に可動コントラスト要素２４を降ろし、ショベル２０を図８に示すように更に後ろに下げることにより実行される。これにより、ピッツアＰは、ショベル２０のアーム２１から離され、グリル２６に載置される。
【００３２】
ピッツアＰは、この後、水平ガイド２８、及び、垂直ガイド２９に沿って、グリル２６の結合された可動部の働きにより加熱オーブン内へと運ばれる。ピッツアＰは、完全に温めるのに必要な時間（１〜２分の間）の間、オーブン３０に置かれる。この後、ピッツアＰは、オーブン３０から取り出され、グリル２６により搬送アッセンブリ３７の対応する位置に運ばれる。
【００３３】
図１０に示すように、クロスメンバー４０（プッシャー３８及びプッシング部材３９を搬送する）は、引っ込んだ位置に置かれ、振動コントラスト要素３５は、対応するロッド３６により持ち上げられており、ピッツアＰは、トレイＴの上、即ち、マガジン３１の頂部に置かれる。この後、可動コントラスト要素３５は、中間の仕切り２に面するピッツアＰの縁の隣の位置に置かれるように降ろされる。そして、グリル２６は、図１０に示すように、ガイド２８に沿って後退される。これらの作業の結果、ピッツアＰは、グリル２６から離され、トレイＴの上、即ち、マガジン３１の頂部に置かれる。この後、コントラスト要素３５は、再び持ち上げられる。
【００３４】
次に、搬送装置３７は、引渡口３４の方向にクロスメンバー４０を送り出すように動作する。この工程において、プッシング部材３９がトレイＴの対応する切り欠けＮに作用している間、プッシャー３８は、引渡口３４の反対側のピッツアＰの縁領域で動作する。実際、これは、トレイＴの一つ下のトレイからの分離を引き起こすと共に、トレイＴとピッツアＰが引渡口３４を通って完全に排出されるまで、トレイＴ及びピッツアＰの双方に作用する，押し出し動作を生じる。
【００３５】
この時点で、使用者は、前に述べた方法でトレイＴのコーナーを折り曲げ、ピッツアＰの４片を分けて食べることができる。
【００３６】
前記説明より明確になるように、本発明の販売装置は、最短時間で、伝統的なピッツエリアで作られるピッツアに劣らない品質であるが、相当低コストなピッツアを提供することができる。
【００３７】
他の実施例として、現在好ましいものが図１５から図２４に描かれている。これらの図において、既に説明した図１から図１４のものと同じ又は同様の部品については同じ参照番号を付し、違う部品についてのみ詳細に説明する。
【００３８】
これらの違いは、基本的にケーシング１の冷凍区域３に関連するものであり、特に、貯蔵ユニット５、ピックアップアッセンブリ７、及び、搬送アッセンブリ１７に関連する。
【００３９】
図示する例では、貯蔵ユニット５は、頑丈な骨組み４４ａにより形成されている。当該頑丈な骨組４４ａは、密閉された容器Ｅに入れられたピッツアＰの差込、保持、及び、取り出しを行うため、他の１組の水平ガイドの上に置かれる複数の組の水平ガイド４５を有する、平行に置かれた３本（又はそれ以上）の柱を支える。
【００４０】
上記配列において、密閉された容器Ｅは、図１６に示される形態を有する。全体的な形状は、今まで通り、即ち、底Ｂを持つ円形のトレイ、蓋Ｃ、及び、突出した縁Ｈより成る。本例では、上記突出した縁Ｈは、略四角形状である。上記四角形の縁Ｈの２つの向かい合う側は、１対のガイド４５にはまり込むように設計されている。更に、円状のトレイの側壁Ｗの突出部で成る側方に空間を作る突起Ｓと同様に、底Ｂには、垂直方向に空間を作る、例えば、半球状の突起Ｒが形成されている。側方に空間を作る突起Ｓは、例えば、４つ突起が、等角度に間隔をあけて置かれている。
【００４１】
垂直方向に空間を作る突起Ｒ、及び、側方に空間を作る突起Ｓの働きは、以下に明らかにされる。
【００４２】
貯蔵ユニット５の骨組４４ａは、振り出し式に伸長可能な１対のアーム４６により、冷凍区域３の内部に保持される。これにより、上記骨組４４ａは、空の容器Ｅを取り除き、ピッツアＰを内包する新たな容器Ｅを置くために、簡単に引き出すことができ、かつ、再び冷凍区域３に収納することができる。これらの作業をよりし易くするため、骨組４４ａは、中央の垂直軸４７で回転できるように、伸長可能なアーム４６に適切に接続されている。
【００４３】
図１７及び図１８に詳細に示すように、ピックアップアッセンブリ７は、実質的に前述したものと違う。ピックアップアッセンブリ７では、更に、交互に水平に動かせる掴み部材８を上に備えるトレイ支持体４８を備える。トレイ支持体４８は、その側部で、容器Ｅの突出した縁Ｈの向かい合う側を掴むためのガイド４９を備えると共に、その中央で、突出領域５０を備える。
【００４４】
作業において、トレイ支持体４８は、水平ガイド１０及び垂直方向のガイド１１に沿って、掴み部材８と共に移動して、選択したピッツアＰに対応する貯蔵ユニット５の複数の対になっているガイド４５の正面に置かれる。次に、掴み部材８は、開口位置に保持され、容器Ｅの突出した縁Ｈの正面の側面を掴むように、水平ガイド１２に沿って押し出される。掴み部材８は、上記正面の側部を掴み、後退し、ガイド４５から容器Ｅの突出した縁Ｈの側部を滑り出し、この後、側部のガイド４９にはまるようにすべらせる。容器Ｅは、このようにして、トレイ支持体４８に滑り出し、突出部５０と相互作用する。この相互作用は、図２０において明らかなように、底ＢとピッツアＰのアーチ、及び、これにより生じる蓋Ｃの緊張を生成する。当該緊張は、ピッツアＰを有する容器Ｅが開口アッセンブリ１３の下に置かれた時に、前述した、蓋Ｃの切除を確実に実行可能にする。
【００４５】
今説明した変形例と、図１から図１４に示したものとの他の重要な相違は、搬送アッセンブリ１７の構成にある。当該アッセンブリは、１組の（例では、４つの）掴みアーム５１で構成される。当該アーム５１は、略Ｌ字状に形成され、回転可能であり、可能な場合には、必須ではないが、垂直に置かれる。図２１，図２２，図２３に詳しく示すように、アッセンブリ１３により蓋Ｃが取り除かれた後、容器Ｅが搬送アッセンブリ１７に対応する位置を占める要に成ると、掴みアーム５１が、上から、側部の空間を作る突起Ｓの間に差し込まれ、垂直方向の突起Ｒに位置するピッツアＰの下で回転される。当然、上からの挿入は、掴みアーム５１を下げる代わりに容器Ｅを持ち上げることにより実行されてもよい。
【００４６】
アーム５１の回転に依存して、ピックアップアッセンブリ７は、降ろされ、移動される。これにより、ピッツアＰは、図２３に示すように、上記アーム５１の水平枝により簡単に支持される。
【００４７】
上述した実施例の搬送アッセンブリ１７の一層の簡単化は、事実問題として、ピッツアショベル２０及びグリル２６を含む可動支持装置２５が、簡単なショベル５２に置き換えられることである。ショベル５２は、図２３に示す位置より、ピッツアＰを離す位置へと掛け金が回転されたときに、ピッツアＰがアーム５１により受け取られる位置と、グリル２６に関して前述した様式に従う加熱区域４の内側のピッツアＰの搬送位置との間に、窓１８を通って置き換えることができるものである。
【００４８】
窓１８の開閉を制御する開放可能な連絡扉は、参照番号５３によって示されている。
【００４９】
当然、構成の詳細及び実施例は、請求項により画定される発明の目的から外れることなく、ここにおける説明及び開示に関して非常に広い範囲に渡るものである。
【図面の簡単な説明】
【図１】  本発明に係るホットピッツアの自動販売装置における一部分を破断した概略斜視図である。
【図２】  図１の装置における一部分であって、ピッツアの分配工程の第１工程を示す図である。
【図３】  ピッツアの分配工程の後続工程における、上記装置の種々の構成部分を詳細に拡大して示す斜視図である。
【図４】  ピッツアの分配工程の後続工程における、上記装置の種々の構成部分を詳細に拡大して示す斜視図である。
【図５】  ピッツアの分配工程の後続工程における、上記装置の種々の構成部分を詳細に拡大して示す斜視図である。
【図６】  ピッツアの分配工程の後続工程における、上記装置の種々の構成部分を詳細に拡大して示す斜視図である。
【図７】  ピッツアの分配工程の後続工程における、上記装置の種々の構成部分を詳細に拡大して示す斜視図である。
【図８】  ピッツアの分配工程の後続工程における、上記装置の種々の構成部分を詳細に拡大して示す斜視図である。
【図９】  ピッツアの分配工程の後続工程における、上記装置の種々の構成部分を詳細に拡大して示す斜視図である。
【図１０】  ピッツアの分配工程の後続工程における、上記装置の種々の構成部分を詳細に拡大して示す斜視図である。
【図１１】  ピッツアの分配工程の後続工程における、上記装置の種々の構成部分を詳細に拡大して示す斜視図である。
【図１２】  図１１の矢印ＸＩＩに沿って見た拡大平面図である。
【図１３】  分配工程の開始時に包装されるピッツアの拡大斜視図である。
【図１４】  図１３と同様の図であって、分配工程の終了時におけるピッツアの拡大斜視図である。
【図１５】  図１と同様の図であって、図１の装置における一部分を変形した実施例の斜視図である。
【図１６】  図１５の本発明の変形例の自動販売装置による分配工程の開始時に包装されたピッツアの一部切欠斜視図である。
【図１７】  図１５のＸＶＩＩ−ＸＶＩＩ線から見た概略部分断面図である。
【図１８】  図１７の一部分の斜視図である。
【図１９】  図１５の自動販売装置のもう１つの変形例における簡略部分拡大斜視図である。
【図２０】  図１５の変形例の自動販売装置における操作工程での２つの連続した工程を示す、拡大部分側断面図である。
【図２１】  図１５の変形例の自動販売装置における操作工程での２つの連続した工程を示す、拡大部分側断面図である。
【図２２】  図２１のＸＸＩＩ−ＸＸＩＩ線から見た水平断面図である。
【図２３】  図２０及び図２１と同様の図であって、図１５の変形例の自動販売装置における２つの連続した操作工程を説明する、拡大部分側断面図である。
【図２４】  図２０及び図２１と同様の図であって、図１５の変形例の自動販売装置における２つの連続した操作工程を説明する、拡大部分側断面図である。
【符号の説明】
１  ケーシング
２  仕切り
３  冷凍区域
４  加熱区域
５  貯蔵ユニット
６  ダブル棚
７  ピックアップアッセンブリ
８  掴み部材
１３  開口アッセンブリ
１７  移送アッセンブリ
１８  窓
２５  可動支持機構部（可動支持手段）
２６  可動水平グリル（火格子）
３０  電気オーブン
３１  トレイマガジン
３４  吐出口（引渡口）
３７  搬送アッセンブリ
Ｅ  容器
Ｐ  ピザ
Ｔ  トレイ
【図１】
0003652600.tif 000002
【図２】
0003652600.tif 000003
【図３】
0003652600.tif 000004
【図４】
0003652600.tif 000005
【図５】
0003652600.tif 000006
【図６】
0003652600.tif 000007
【図７】
0003652600.tif 000008
【図８】
0003652600.tif 000009
【図９】
0003652600.tif 000010
【図１０】
0003652600.tif 000011
【図１１】
0003652600.tif 000012
【図１２】
0003652600.tif 000013
【図１３】
0003652600.tif 000014
【図１４】
0003652600.tif 000015
【図１５】
0003652600.tif 000016
【図１６】
0003652600.tif 000017
【図１７】
0003652600.tif 000018
【図１８】
0003652600.tif 000019
【図１９】
0003652600.tif 000020
【図２０】
0003652600.tif 000021
【図２１】
0003652600.tif 000022
【図２２】
0003652600.tif 000023
【図２３】
0003652600.tif 000024
【図２４】
0003652600.tif 000025